(57)【要約】【課題】捕獲容器を大型化することなく設置し易さや持ち運びやすさを犠牲にせずに、一旦捕獲したハチが侵入孔から外部に出てしまうのを抑制して捕獲率を向上させる。【解決手段】内部にハチ誘引剤を入れた上部が開放する捕獲容器１０と、捕獲容器１０の上部を覆う蓋２０とを備え、蓋２０に形成された侵入孔２３から捕獲容器１０内に侵入したハチを捕獲するように構成されたハチ捕獲器１において、侵入孔２３の周縁部と捕獲容器１０の内面との離間寸法が２７ｍｍ以上に設定されている。【選択図】図１
2014103933.tif 000002
【特許請求の範囲】
【請求項１】
内部にハチ誘引剤を入れた上部が開放する捕獲容器と、
上記捕獲容器の上部を覆う蓋とを備え、
上記蓋に形成された侵入孔から上記捕獲容器内に侵入したハチを捕獲するように構成されたハチ捕獲器において、
上記侵入孔は、平面視で上記蓋の中心部に配置されていることを特徴とするハチ捕獲器。
【請求項２】
内部にハチ誘引剤を入れた上部が開放する捕獲容器と、
上記捕獲容器の上部を覆う蓋とを備え、
上記蓋に形成された侵入孔から上記捕獲容器内に侵入したハチを捕獲するように構成されたハチ捕獲器において、
上記侵入孔の周縁部と上記捕獲容器の内面との離間寸法は、２７ｍｍ以上に設定されていることを特徴とするハチ捕獲器。
【請求項３】
請求項１または２に記載のハチ捕獲器において、
上記侵入孔は、直径２５ｍｍ以上に設定されていることを特徴とするハチ捕獲器。
【発明の詳細な説明】
【技術分野】
【０００１】
本発明は、スズメバチ等のハチを誘引して捕獲するためのハチ捕獲器に関するものである。
【背景技術】
【０００２】
従来から、ハチ捕獲器としては、例えばカップ状の容器の内部にハチを誘引するための誘引液を入れ、その容器の上部に、ハチの侵入孔が形成された蓋を取り付けたものが知られている（例えば特許文献１参照）。
【０００３】
特許文献１では、ハチ捕獲器の蓋に２つの侵入孔を形成している。蓋の平面視で、２つの侵入孔は、蓋の中心部を対称の中心とする点対称の位置関係となるように配置されている。したがって、侵入孔は、両方とも蓋の中心部から外側に偏位することになる。
【０００４】
上記のハチ捕獲器では、容器の外側を飛んでいるハチがハチ捕獲器の誘引液の効果によって容器に誘引されていき、蓋の侵入孔から容器の内部に侵入することによって捕獲することが可能となっている。
【先行技術文献】
【特許文献】
【０００５】
【特許文献１】特許第４７９３９８４号公報
【発明の概要】
【発明が解決しようとする課題】
【０００６】
ところで、特許文献１のようなハチ捕獲器の内部に侵入したハチは、すぐに死ぬことはなく、本発明者らが容器の内部のハチを観察したところ、誘引液を採取した後、巣に戻ろうとして容器を内面を登っていくものがいた。容器の内面を登って蓋の近傍に達したハチは、手を侵入孔の周縁部に向けて伸ばす行動をとることがある。このとき、特許文献１のハチ捕獲器では侵入孔が蓋の中心部よりも外側に偏位しているので、侵入孔の周縁部と容器の内面とが近くなっており、従って、容器の内面を登ったハチが手を伸ばした際に爪が侵入孔の周縁部に引っ掛かりやすい。爪が引っ掛かると、ハチは侵入孔に入り込んで外部の明るい方へ移動していき、最後は容器の外部へ出てしまう。このようなハチの行動はハチ捕獲器の捕獲率を低下させる要因となる。
【０００７】
特に、スズメバチのような大型のハチの場合、手の長さが長いので、爪が侵入孔の周縁部に引っ掛かりやすく、容器の外部へ出てしまう確率が高まる。
【０００８】
さらに、大型のハチを捕獲するという観点からは侵入孔を大きくした方が好ましいが、特許文献１のように侵入孔が蓋の中心部から偏位している場合に侵入孔を大きくすると、侵入孔の周縁部が容器の内面に接近することになり、容器の内面を登ったハチの爪が侵入孔の周縁部により一層引っ掛かりやすくなるという問題がある。このことを回避するには容器を大型化すればよいのであるが、ハチ捕獲器の設置し易さや持ち運び易さを考慮すると容器はできるだけ小さい方が好ましい。
【０００９】
本発明は、かかる点に鑑みてなされたものであり、その目的とするところは、捕獲容器を大型化することなく設置し易さや持ち運びやすさを犠牲にせずに、一旦捕獲したハチが侵入孔から外部に出てしまうのを抑制して捕獲率を向上させることにある。
【課題を解決するための手段】
【００１０】
上記目的を達成するために、本発明では、侵入孔の周縁部を捕獲容器の内面から離してハチの爪が届きにくくした。
【００１１】
第１の発明は、内部にハチ誘引剤を入れた上部が開放する捕獲容器と、
上記捕獲容器の上部を覆う蓋とを備え、
上記蓋に形成された侵入孔から上記捕獲容器内に侵入したハチを捕獲するように構成されたハチ捕獲器において、
上記侵入孔は、平面視で上記蓋の中心部に配置されていることを特徴とするものである。
【００１２】
この構成によれば、侵入孔が蓋の中心部に形成されているので、捕獲容器を大型化することなく、侵入孔の周縁部と捕獲容器の内面との離間寸法を長く確保することが可能になる。これにより、一旦捕獲された捕獲容器内のハチが捕獲容器の内面を登った際に、手を伸ばしても爪が侵入孔の周縁部に引っ掛かりにくくなるので、ハチが侵入孔から外部に出てしまうのを抑制することが可能になる。
【００１３】
第２の発明は、内部にハチ誘引剤を入れた上部が開放する捕獲容器と、
上記捕獲容器の上部を覆う蓋とを備え、
上記蓋に形成された侵入孔から上記捕獲容器内に侵入したハチを捕獲するように構成されたハチ捕獲器において、
上記侵入孔の周縁部と上記捕獲容器の内面との離間寸法は、２７ｍｍ以上に設定されていることを特徴とするものである。
【００１４】
すなわち、ハチの中でも大型のオオスズメバチの手の長さは最も長いもので２６ｍｍ程度であり、侵入孔の周縁部と捕獲容器の内面との離間寸法を２７ｍｍ以上確保することで、捕獲容器の内面を登ったオオスズメバチが手を伸ばしても爪が侵入孔の周縁部に引っ掛かりにくなる。よって、オオスズメバチが侵入孔から外部に出てしまうのを抑制することが可能になる。
【００１５】
第３の発明は、第１または２の発明において、
上記侵入孔は、直径２５ｍｍ以上に設定されていることを特徴とするものである。
【００１６】
この構成によれば、オオスズメバチ等の大型のハチが捕獲容器の内部に侵入し易くなる。
【発明の効果】
【００１７】
第１及び第２の発明によれば、捕獲容器の大型化を回避して設置し易さや持ち運びやすさを担保しながら、一旦捕獲したハチが侵入孔から外部に出てしまうのを抑制して捕獲率を向上させることができる。
【００１８】
第３の発明によれば、侵入孔の直径を２５ｍｍ以上に設定したので、大型のハチが捕獲容器の内部に侵入し易くなり、捕獲率をより一層向上させることができる。
【図面の簡単な説明】
【００１９】
【図１】本発明の実施形態に係るハチ捕獲器の断面図である。
【図２】本発明の実施形態に係るハチ捕獲器の平面図である。
【図３】ハチの捕獲実験の結果を示すグラフである。
【図４】ハチの全捕獲数と大型のハチを除いた捕獲数とを示すグラフである。
【発明を実施するための形態】
【００２０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２１】
図１は、本発明の実施形態に係るハチ捕獲器１の断面図である。ハチ捕獲器１は、捕獲容器１０と蓋２０とを備えており、容器１０の内部にハチを誘引するためのハチ誘引剤が入っている。ハチ誘引剤としては、液体のものが好ましいが、例えば乳酸菌飲料ベースのものや、砂糖類、でんぷん糖類、はちみつ、果汁、果汁飲料等をベースとしたものであってもよい。
【００２２】
捕獲容器１０は、上部が開放するカップ状に成形されている。捕獲容器１０の上端部の開口は略円形となっている。捕獲容器１０の大きさは、設置のし易さや持ち運びやすさを考慮した大きさとするのが好ましく、例えば外径は１００ｍｍ以内、高さは２００ｍｍ以内に設定することができる。捕獲容器１０の上端部には、蓋２０が係合する環状のフランジ１１が形成されている。
【００２３】
蓋２０は、捕獲容器１０の上部を覆うものである。図２に示すように、蓋２０は平面視で略円形とされている。蓋２０の周縁部には、捕獲容器１０のフランジ１１に上方から嵌合する嵌合部２１が形成されている。図１に示すように、蓋２０は、その周縁部から中心部に向かって徐々に高くなるように円弧面状に膨出している。蓋２０の中心部には、断面が略円形の筒部２２が下方（捕獲容器１０内）へ向けて突設されており、この筒部２２の内部が侵入孔２３となっている。従って、侵入孔２３は、上下方向に延びることになる。侵入孔２３の上端開口部２３ａは、蓋２０の上面に開口している。また、侵入孔２３の下端開口部２３ｂは、筒部２２の下端に開口している。筒部２２は下側へ行くほど小径となるように形成されているので、侵入孔２３の断面は、下側へ行くほど小さくなる。
【００２４】
侵入孔２３の上端開口部２３ａの直径は２０ｍｍ以上３５ｍｍ以下に設定するのが好ましく、より好ましくは、２５ｍｍ以上３０ｍｍ以下である。上端開口部２３ａの直径が２０ｍｍ未満であると、オオスズメバチ等の大型のハチが侵入孔２３に侵入しにくくなり、捕獲率が低下する。一方、上端開口部２３ａの直径が３５ｍｍよりも大きくなると、ハチ以外のチョウや甲虫等が侵入してしまう可能性が高まる。上端開口部２３ａの直径が２５ｍｍ以上３０ｍｍ以下の場合がハチの捕獲率は一層高まる。
【００２５】
また、侵入孔２３の長さ（上下寸法）は、５ｍｍ以上２０ｍｍ以下が好ましく、より好ましくは８ｍｍ以上１５ｍｍ以下である。侵入孔２３の長さが５ｍｍ以上２０ｍｍ以下であると、捕獲容器１０の外部のハチが捕獲容器１０の内部に入り易く、かつ、捕獲容器１０の内部のハチが外部へ出にくくなる。この効果は、侵入孔２３の長さが８ｍｍ以上１５ｍｍ以下の場合でより一層高まる。
【００２６】
侵入孔２３の下端開口部２３ｂの周縁部と捕獲容器１０の内面との水平方向の離間寸法のうち、最も短い寸法Ｘは、２７ｍｍ以上となるように設定されている。より好ましくは、寸法Ｘが２９ｍｍ以上である。これは、スズメバチの中で最も大型のオオスズメバチの複数匹の手の長さを実際に測定し、これらオオスズメバチが捕獲容器１０の内面を登って手を伸ばしても、爪が下端開口部２３ｂの周縁部に届きにくくするために設定した値である。離間寸法Ｘが長くなればなるほど捕獲容器１０が大型化することになるので、離間寸法Ｘは捕獲容器１０の大型化を回避する点から５０ｍｍ以下が好ましい。尚、離間寸法Ｘを２７ｍｍ以上４０ｍｍ以下の範囲に設定しておけば、大型のハチであっても爪が下端開口部２３ｂの周縁部に殆ど届かなくなる。
【００２７】
離間寸法Ｘを設定するにあたっては、まず、オオスズメバチを３０匹捕獲した。これら全ての体長は４０ｍｍ以上の大型のものである。そして、捕獲した全てのオオスズメバチの手の長さを測定した。最も短いものは２０ｍｍ（２匹）であり、最も長いものは２６ｍｍ（３匹）であった。尚、オオスズメバチの女王の体長は４０〜５０ｍｍ程度である。
【００２８】
侵入孔２３の形状は、断面略円形でなくてもよく、例えば断面が多角形や楕円形状であってもよい。また、侵入孔２３の断面は上端開口部２３ａから下端開口部２３ｂまで略同じであってもよい。
【００２９】
上記捕獲容器１０及び蓋２０の材料としては、耐候性や経済性を考慮した場合には樹脂製とするのが好ましいが、これに限られるものではなく、樹脂製以外を使用してもよい。樹脂製とした場合には、熱プレス成形法、射出成形法を利用して製作することができる。例えば、樹脂製シートを用意して真空成形することもできる。樹脂製シートの厚みとしては、例えば、０．２ｍｍ以上１．２ｍｍ以下の範囲のものが好ましいが、より好ましくは、０．３ｍｍ以上０．８ｍｍ以下である。
【００３０】
樹脂製シートは、例えば、ポリエチレンテレフタレート、ポリプロピレン、ポリエチレン、ポリスチレン、ポリカーボネート等を挙げることができる。
【００３１】
また、上記蓋２０を構成する材料の可視光透過率は、捕獲容器１０を構成する材料の可視光透過率よりも低くするのが好ましいが、同じにすることも可能である。ここで、可視光透過率とは、屋外散乱光下において約４００ｎｍ〜約７００ｎｍの範囲の光が透過する割合であり、例えば分光光度計を用いて測定することができる。尚、約５５０ｎｍの光で測定した値を用いると、平均的な可視光透過率とすることができる。
【００３２】
捕獲容器１０及び蓋２０の可視光透過率は、捕獲容器１０及び蓋２０の材料を着色することや、印刷層を形成すること等によって調整することができる。捕獲容器１０の可視光透過率は、５０％〜９９％の範囲内にするのが好ましく、また、蓋２０の可視光透過率は、０％〜３０％の範囲内に設定するのが好ましい。尚、より好ましくは、捕獲容器１０の可視光透過率は、６０％〜９９％の範囲内であり、また、蓋２０の可視光透過率は、０％〜２０％の範囲内である。
【００３３】
捕獲容器１０の可視光透過率が高い場合には、捕獲容器１０の表面や内面にシボ加工、フロスト処理、サンドブラスト処理して、捕獲容器１０内のハチの死骸が外部から見えにくくなるようにするのが好ましい。これにより、使用時の不快感を低減できる。
【００３４】
また、蓋２０の外表面積は、蓋２０の外表面積と捕獲容器１０の外表面積とを合計した総外表面積の半分以下に設定する。例えば、蓋２０の外表面積を１００ｃｍ２とし、捕獲容器１０の外表面積を３００ｃｍ２として総外表面積を４００ｃｍ２とする。
【００３５】
本ハチ捕獲器１の捕獲対象のハチは、例えば、オオスズメバチ、キイロスズメバチ、クロスズメバチ、ヒメスズメバチ、コガタスズメバチ、モンスズメバチ等のスズメバチ類の他、セグロアシナガバチ、フタモンアシナガバチ等のアシナガバチ類等である。
【００３６】
次に、上記のように構成されたハチ捕獲器１を使用する場合について説明する。上述のように捕獲容器１０の各寸法を設定しているので、ハチ捕獲器１を持ち運ぶ際に持ち運びやすく、また、設置し易い。
【００３７】
ハチ捕獲器１を設置すると、誘引剤の誘引成分が蒸発して蓋２０の侵入孔２３から外部へ放散する。外部を飛んでいるハチが誘引剤によってハチ捕獲器１に誘引されて図１に符号Ａで示すように蓋２０にとまり、侵入孔２３に入る。このとき、侵入孔２３の上端開口部２３ａの直径を２０ｍｍ以上３５ｍｍ以下に設定しているので、大型のオオスズメバチであっても、侵入孔２３に入りやすくなる。
【００３８】
侵入孔２３に入ったハチは、誘引剤に誘引されて侵入孔２３を下に移動していき、やがて、捕獲容器１０内に落下する。捕獲容器１０内の誘引剤は液体であるので、図１に符号Ｂで示すようにハチは落下して誘引剤の中で溺死するものもいるが、符号Ｃで示すように捕獲容器１０の内面を登るものもいる。捕獲容器１０の内面を登って捕獲容器１０の上端部近傍に達したハチは、手を伸ばす動作をすることがあり、手を伸ばす方向が蓋２０の筒部２２の方向の場合がある。この場合、侵入孔２３の下端開口部２３ｂの周縁部と捕獲容器１０の内面との離間寸法Ｘを２７ｍｍ以上に設定しているので、殆どのハチの手の爪が侵入孔２３の下端開口部２３ｂの周縁部に届きにくい。従って、捕獲容器１０内のハチが侵入孔２３に再び入ってしまうことは殆どなく、一旦捕獲したハチが捕獲容器１０の外部に出てしまうのを抑制できる。
【００３９】
ハチが捕獲容器１０の外部に出ないようにすることができる点について、表１、表２に示す実験結果に基づいて説明する。
【００４０】
表１は、比較例（特許第４７９３９８４号公報に開示されているハチ捕獲器）と、本発明に係るハチ捕獲器１とを用いて捕獲容器内の各供試虫が侵入孔から何匹脱出するかを実験した結果を示すものである。比較例の侵入孔は２つであり、各侵入孔の直径は１４ｍｍである。本発明の侵入孔２３の直径は２５ｍｍである。また、侵入孔２３の下端開口部２３ｂの周縁部と捕獲容器１０の内面との離間寸法Ｘは２７ｍｍである。
【００４１】
供試虫は、キイロスズメバチ（３０匹）、ヒメスズメバチ（６匹）、セグロアシナガバチ（３０匹）の３種類である。
【００４２】
実験方法は、麻酔をかけた各供試虫を捕獲容器に入れて蓋をし、その後、ハチが麻酔から覚めた後、捕獲容器に誘引剤を入れてハチの行動を１０分おきに観察した。
【００４３】
【表１】
2014103933.tif 000003
【００４４】
表１に示すように、全てのハチは本発明に係るハチ捕獲器１から脱出することはできなかったのに対し、比較例では、脱出率がキイロスズメバチで１３％、ヒメスズメバチで３３％、セグロアシナガバチで１０％であった。尚、脱出できなかった全てのハチは３０分以内に誘引剤の中で溺死した。
【００４５】
表２は、捕獲容器に誘引剤を入れていない点と、供試虫としてヒメスズメバチを用いていない点とで表１の場合と異なっている。
【００４６】
【表２】
2014103933.tif 000004
【００４７】
表２の場合は、本発明に係るハチ捕獲器１から脱出したハチは僅かであったのに対し、比較例では脱出率が高かった。誘引剤がない場合には、ハチの脚に誘引剤が付着しないことと、溺死しないこととにより、脱出数が増えると考えられるが、本発明に係るハチ捕獲器１では脱出率が極めて低い結果となったので、上述した侵入孔２３の形成位置はハチの脱出率を低くする観点から有効な位置であることが分かる。
【００４８】
本発明に係るハチ捕獲器１と比較例との捕獲率の差を図３及び図４に基づいて説明する。捕獲実験に使用したハチ捕獲器は、上記した脱出実験に使用したものと同じである。比較例のハチ捕獲器と本発明に係るハチ捕獲器１とを、広島県廿日市市の山の中に置いてハチの捕獲数を測定した。実験日は１０月３日〜１０月２４日であった。比較例のハチ捕獲器と本発明に係るハチ捕獲器１とは３ｍ程度離した。また、捕獲場所は５箇所設定し、５箇所の捕獲結果を平均して図３及び図４に示している。
【００４９】
図３に示すように、本発明に係るハチ捕獲器１では、比較例のハチ捕獲器に比べて８割程度の捕獲数向上が認められる。これは、本発明に係るハチ捕獲器１のハチの脱出率が大幅に低いことが一因である。
【００５０】
また、図４では、ハチの全捕獲数と、大型のハチ（体長３５ｍｍ以上）を除いたハチの捕獲数とを示している。比較例では、ハチの全捕獲数と大型のハチを除いたハチの捕獲数とがあまり変わらないが、本発明に係るハチ捕獲器１では大きな差が生じている。つまり、比較例では、捕獲容器１０内の大型のハチが内面を登った際に、手を伸ばして爪を侵入孔の周縁部に引っ掛けて侵入孔から出ていったものが多いためであると考えられる。また、比較例では、侵入孔の直径が１４ｍｍ程度と小さく、大型のハチが捕獲容器１０内に入り難かったことも考えられる。
【００５１】
以上説明したように、この実施形態に係るハチ捕獲器１によれば、侵入孔２３が蓋２０の中心部に形成されているので、捕獲容器１０を大型化することなく、侵入孔２３の周縁部と捕獲容器１０の内面との離間寸法を長く確保することが可能になる。これにより、一旦捕獲された捕獲容器１０内のハチが捕獲容器１０の内面を登った際に、手を伸ばしても爪が侵入孔２３の周縁部に引っ掛かりにくなるので、ハチが侵入孔２３から外部に出てしまうのを抑制することが可能になる。
【００５２】
また、侵入孔２３の周縁部と捕獲容器１０の内面との離間寸法を２７ｍｍ以上確保したことで、捕獲容器１０の内面を登った大型のハチが手を伸ばしても爪が侵入孔２３の周縁部に引っ掛かりにくなる。よって、大型のハチが侵入孔２３から外部に出てしまうのを抑制することが可能になる。
【００５３】
従って、捕獲容器１０の大型化を回避して設置し易さや持ち運びやすさを担保しながら、一旦捕獲したハチが侵入孔２３から外部に出てしまうのを抑制して捕獲率を向上させることができる。
【００５４】
また、侵入孔２３の直径を２５ｍｍ以上に設定したので、大型のハチが捕獲容器１０の内部に侵入し易くなり、捕獲率をより一層向上させることができる。
【００５５】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００５６】
以上説明したように、本発明に係るハチ捕獲器は、例えば大型のハチ等を捕獲するのに適している。
【符号の説明】
【００５７】
１        ハチ捕獲器
１０      捕獲容器
１１      フランジ
２０      蓋
２１      嵌合部
２２      筒部
２３      侵入孔
【図１】
2014103933.tif 000005
【図２】
2014103933.tif 000006
【図３】
2014103933.tif 000007
【図４】
2014103933.tif 000008